(57)【要約】【課題】観察者に効果的に訴求可能な光装飾装置を提供する。【解決手段】光装飾装置１において、基台１０に溝状凹部２０を形成し、この基台１０内には、溝状凹部２０に対して複数のＬＥＤが臨むように配置されるＬＥＤ光源部１２を配置する。更に、基台１０には光透過性の装飾板１４配置する。この装飾板１４は、溝状凹部２０に収容されてＬＥＤ光源１２の光を外部に放出する棒状照明部４０、棒状照明部４０における光放射面の一部から連続形成され脚部４２、及び脚部４２に連続形成されて長手方向に拡張される装飾部４４を備えるようにする。【選択図】図１
0003121935.tif 000002
【実用新案登録請求の範囲】
【請求項１】
基台と、
前記基台に形成される溝状凹部と、
前記基台内に収容され、前記溝状凹部に対して複数のＬＥＤが臨むように配置されるＬＥＤ光源部と、
前記基台に固定される光透過性の装飾板と、を備え、
前記装飾板が、
前記溝状凹部に収容される棒状部材であって、前記ＬＥＤ光源の光を外部に放出する光放射面を有する棒状照明部、
前記棒状照明部における前記光放射面の一部から連続形成され、前記棒状照明部内の光を導出する脚部、
前記脚部に連続形成されると共に、前記脚部と比較して前記棒状照明部の長手方向に拡張される装飾部、を備えて構成される
ことを特徴とする光装飾装置。
【請求項２】
前記溝状凹部に対して、前記装飾板の前記棒状照明部が着脱自在に構成されることを特徴とする請求項１記載の光装飾装置。
【請求項３】
前記溝状凹部に対して、前記装飾板が複数枚収容されていることを特徴とする請求項１又は２記載の光装飾装置。
【請求項４】
複数枚の前記装飾板の前記装飾部が、互いに間隔をあけて配置されることを特徴とする請求項３記載の光装飾装置。
【請求項５】
前記溝状凹部の内壁に光反射面が形成されていることを特徴とする請求項１乃至４記載の光装飾装置。
【請求項６】
前記棒状照明部の前記光放射面が、前記基台の表面と略連続するように配置されることを特徴とする請求項１乃至５のいずれか記載の光装飾装置。
【請求項７】
前記装飾板の端面が、板平面に対して非直角に傾斜していることを特徴とする請求項１乃至６のいずれか記載の光装飾装置。
【考案の詳細な説明】
【技術分野】
【０００１】
本考案は、光によって装飾効果を発揮する光装飾装置に関する。
【背景技術】
【０００２】
従来、ＬＥＤ照明を利用した看板等の光装飾装置が利用されている。この種の光装飾装置の一つとして、看板として機能する透光性の装飾板と、内部にＬＥＤ照明が配置された照明付き額縁を有するものがある。装飾板の全周を照明付き額縁で保持することで、この装飾板をディスプレイとして利用できるようにし、さらに装飾板を導光板として機能させることで、例えば装飾板に彫りこまれた文字を発光させる。この光装飾装置は、暗い場所でも目立つので、インテリアグッズとしても利用される。
【考案の開示】
【考案が解決しようとする課題】
【０００３】
しかしながら、この光装飾装置では、下記のような問題点があった。
（１）装飾板を額縁に収容する構造であるため、装飾板の交換が面倒であるという問題があった。従って、装飾板と額縁がセット販売されるため、デザインに飽きた場合には廃棄処分するしかなく、その結果、購入意欲が薄れる状況があった。
（２）装飾板の形状が額縁に制約されてしまうので、この装飾板の外形が単純な方形や円形となってしまい、形状としての装飾効果を発揮できないという問題があった。従って、装飾板の内部に文字や図形の装飾を施すしかなく、鑑賞者に対する訴求効果に限界があった。
（３）ＬＥＤ照明自体が、指向性の強い明るい光を発する装飾効果を有するが、全ての光が（導光板として機能する）装飾板内を進行してしまうので、単なる光源として利用されるに止まるという問題があった。
【０００４】
本考案は上記問題点に鑑みてなされたものであり、製造コストの低減を図りながらも、光による装飾効果を向上させることができる光装飾装置を提供することを目的とする。
【課題を解決するための手段】
【０００５】
上記目的は、以下の本考案によって達成されるものである。
【０００６】
（１）基台と、前記基台に形成される溝状凹部と、前記基台内に収容され、前記溝状凹部に対して複数のＬＥＤが臨むように配置されるＬＥＤ光源部と、前記基台に固定される光透過性の装飾板と、を備え、前記装飾板が、前記溝状凹部に収容される棒状部材であって、前記ＬＥＤ光源の光を外部に放出する光放射面を有する棒状照明部、前記棒状照明部における前記光放射面の一部から連続形成され、前記棒状照明部内の光を導出する脚部、前記脚部に連続形成されると共に、前記脚部と比較して前記棒状照明部の長手方向に拡張される装飾部、を備えて構成されることを特徴とする光装飾装置。
【０００７】
（２）前記溝状凹部に対して、前記装飾板の前記棒状照明部が着脱自在に構成されることを特徴とする上記（１）記載の光装飾装置。
【０００８】
（３）前記溝状凹部に対して、前記装飾板が複数枚収容されていることを特徴とするっ上記（１）又は（２）記載の光装飾装置。
【０００９】
（４）複数枚の前記装飾板の前記装飾部が、互いに間隔をあけて配置されることを特徴とする上記（３）記載の光装飾装置。
【００１０】
（５）前記溝状凹部の内壁に光反射面が形成されていることを特徴とする上記（１）乃至（４）記載の光装飾装置。
【００１１】
（６）前記棒状照明部の前記光放射面が、前記基台の表面と略連続するように配置されることを特徴とする上記（１）乃至（５）のいずれか記載の光装飾装置。
【００１２】
（７）前記装飾板の端面が、板平面に対して非直角に傾斜していることを特徴とする上記（１）乃至（６）のいずれか記載の光装飾装置。
【考案の効果】
【００１３】
本考案によれば、光による装飾効果を観察者に効率的に訴求可能な光装飾装置を得ることができるという優れた効果を奏し得る。
【考案を実施するための最良の形態】
【００１４】
以下、本考案の実施の形態を添付図面を参照して説明する。
【００１５】
図１及び図２には、第１実施形態に係る光装飾装置１が示されている。この光装飾装置１は、基台１０、ＬＥＤ光源部１２、装飾板１４を備えている。基台１０は、ステンレス成型によって得られる箱型の部材であって、内部にＬＥＤ光源部１２が収容可能されている。
【００１６】
図３及び図４に示されるように、基台１０の上方面１０Ａには、溝状凹部２０が形成されており、この溝状凹部２０に対して装飾板１４が挿入される。ＬＥＤ光源部１２は、溝状凹部２０の開口面積よりも大きい回路基板３０と、回路基板３０に対して列状に配置される複数のＬＥＤ３２を備えて構成される。詳細には、溝状凹部２０の開口２０Ａの面積を満たす程度に、砲弾型のＬＥＤ３２が並列状態で敷設されることで、これらのＬＥＤ３２が溝状凹部２０の底面に臨んだ状態となっている。このＬＥＤ光源部１２は、基台１０内の支持具１１によって固定されている。なお、ＬＥＤ３２の光照射のタイミングや強さは、回路基板３０の横に設置される制御装置３４によって制御されている。ここでは特に電源については図示しないが、外部の汎用電源から配線を通じて供給してもよく、又、基台１０の内部にバッテリーを収納して供給しても良い。
【００１７】
この結果、溝状凹部２０の底面は、複数のＬＥＤ３２の突端を連ねた平面で構成されていることになる。また、溝状凹部２０の内周壁２０Ｂには光反射面２０Ｃが形成される。この光反射面２０Ｃは、ＬＥＤ３２の光を反射する。本実施形態では内周壁２０Ｂとして筒状の金属素材（例えば、アルミやステンレス）を利用し、この内周壁２０Ｂを鏡面仕上げすることによって光反射面２０Ｃとしている。なお、金属素材を鏡面仕上げする以外にも、金属蒸着処理やメッキ処理によって光反射面を形成したり、光反射フィルムを貼り付けて形成したりしても良い。
【００１８】
基台１０に固定される装飾板１４は、図５に示されるように、光透過性を有する１枚のアクリル樹脂板を加工して製造される。この装飾板１４は、詳細には棒状照明部４０、脚部４２、装飾部４４から構成されており、これらが連続して一体の部材となる。棒状照明部４０は、断面が方形となる棒状部材であり、溝状凹部２０に収容されて内周壁２０Ｂ等によって固定される。また、棒状照明部４０は、溝状凹部２０の開口２０Ａと略同じサイズの光放射面４０Ａを備えており、溝状凹部２０の底に配置されているＬＥＤ３２の光を透過して、光放射面４０Ａを介して外部（上方）に放出する。特に、本実施形態における光装飾装置１では、棒状照明部４０全体が基台１０の溝状凹部２０に埋設されることで、基台１０の表面（上方面１０Ａ）と光放射面４０Ａが略連続するようになっている。この結果、光反射面２０Ｃで反射したＬＥＤ３２の光Ｚが光放射面４０Ａを介して観察者Ｋに直進するので、この光放射面４０Ａは非常に明るい照明となる。脚部４２は、棒状照明部４０における光放射面４０Ａの一部から突出するように連続形成されており、棒状照明部４０内を透過した光を更に自身の内部に導く。
【００１９】
装飾部４４の外形は、ここでは馬の外観に装飾されており、脚部４２に連続形成される。また装飾部４４は、脚部４２と比較して棒状照明部４０の長手方向側に拡張されている。つまり、装飾板１４を平面視すると、装飾部４４及び棒状照明部４０に対して脚部４２がくびれた状態となっている。これにより、装飾部４４では輪郭等の端縁４５による装飾機能が、棒状照明部４４は光放出面４０Ａによる照明機能がそれぞれ得られるようになる。装飾部４４は脚部４２を介して棒状照明部４０に保持されるので、この装飾部４０の内部には、棒状照明部４０及び脚部４２の内部を通過した光が導かれる。従って、装飾部４４の端縁４５からは、内部を通過した光が放出されるので、輪郭が光で浮かび上がるようになる。さらに、この端縁４５は、棒状照明部４０の光放射面４０Ａから放射された照明光Ｓによっても照らされる。従って、外部からの光Ｓの照射及び自らの光放出によって、装飾部４４の端縁４５は一層強調される。また、棒状照明部４０は、溝状凹部２０に対して着脱自在となっており、装飾板１４全体を自由に交換できるようになっている。
【００２０】
本実施形態の光装飾装置１によれば、棒状照明部４０がＬＥＤ光源部１２の光を放出することで照明として機能する。特に、溝状凹部２０に配置される光反射面２０Ｃの存在により、ＬＥＤ３２の光が、観察者に直接向かうので、観察者を注目させることが可能となる。一方、外観等が工夫された装飾部４４は、内部を通過する光によって端縁４５が発光すると共に、端縁４５と同一面内を進行する光Ｓによって照らされるので、この装飾部４４の輪郭を浮かび上がらせることが可能になる。
【００２１】
また、この光装飾装置１によれば、溝状凹部２０を利用して、装飾板１４が着脱自在に構成されているので、様々に装飾された装飾板１４を簡単に交換できる。
【００２２】
次に、図６及び図７等を参照して、第２実施形態に係る光装飾装置１００について説明する。なお、第１実施形態の光装飾装置１と同一又は類似する部品・部材については、図面上の符号の下二桁を一致させることで詳細な説明を省略し、相違する点を中心に説明する。
【００２３】
この光装飾装置１００では、基台１１０が蒲鉾形状となっており、この上方湾曲面１１０Ａに溝状凹部１２０が形成されている。また、この溝状凹部１２０の幅は、装飾板１１４の板厚の２倍程度に設定されており、２枚の装飾板１１４Ａ、１１４Ｂの棒状照明部１４０Ａ、１４０Ｂが同時に挿入されるようになっている。また、溝状凹部１２０の底側に配置されるＬＥＤ光源部１１２は、各棒状照明部１４０Ａ、１４０Ｂに対応させた２色のＬＥＤ群１３２Ａ、１３２Ｂが敷設されており、一方の装飾板１１４Ａと他方の装飾板１１４Ａが異なる色で光るようになっている。なお、ここでは２色の場合を示したが、３色以上を組み合わせてもよく、又３原色を混合して色彩を自由に生成できるようにしても良い。
【００２４】
更に、各装飾板１１４Ａ、１１４Ｂには、文字や図形に切り抜かれた光拡散シート１５０が貼り付けられており、装飾板１１４Ａ、１１４Ｂ内を透過する光がこの光拡散シート１５０で乱反射して、明るく光るようになっている。従って、装飾板１１４Ａ、１１４Ｂの一部に、文字等が光で浮かび上がるようになる。なお、ここでは光拡散シート１５０を貼り付けるようにしているが、装飾板１１４Ａ、１１４Ｂの表面にレーザー加工やサンドブラストによって微小凹凸を形成することで、光を拡散させるようにしてもよい。また、部分的に蓄光素材を利用することで、ＬＥＤの光を蓄積して、自ら光るようにしても良い。
【００２５】
更に各装飾板１１４Ａ、１１４Ｂにおける装飾部１４４Ａ、１４４Ｂの端縁１４５Ａ、１４５Ｂは、板の平面方向に対して直角ではなく、３０度〜６０度で傾斜するようになっている。この結果、各装飾板１１４Ａ、１１４Ｂを平面視した場合であっても、この端縁１４５Ａ、１４５Ｂの発光状態を観察者に見せることが出来る。
【００２６】
この光装飾装置１００によれば、２枚の装飾板１１４Ａ、１１４Ｂを個別に光らせることが出来るので、ＬＥＤ光源部１１２における各ＬＥＤ１３２の点灯タイミングを適宜制御することで、文字等を変化させることが出来る。また、装飾板１１４Ａ、１１４Ｂの外形等を異ならせるようにすることで、デザイン自体を適宜切り替えることも出来るようになる。
【００２７】
以上、本実施形態における光装飾装置では、１枚又は２枚の装飾板を利用する場合に限って示したが、本発明はそれに限定されず、３枚以上の装飾板を採用しても構わない。また、複数枚の装飾板を利用する際には、各装飾板を密着させてもよいが、互いの光が混ざり合うことを避けるために、一定の隙間を空けて配置するようにしてもよい。この場合、一つの溝状凹部に複数枚の装飾板を挿入する場合に限って示したが、基台に対して複数の溝状凹部を形成して、夫々に装飾板を挿入するようにしても良い。更に、本実施形態における溝状凹部は、ＬＥＤ光源部１２によって底面が構成される場合を示したが、本発明はそれに限定されず、他の構造によって底面を構成してもよく、更に底面は不要な場合も考えられる。要は、溝状凹部によって棒状照明部４０が収容・保持される形状であれば良い。
【００２８】
尚、本考案の光装飾装置は、上記した実施の形態に限定されるものではなく、本考案の要旨を逸脱しない範囲内において種々変更を加え得ることは勿論である。
【産業上の利用可能性】
【００２９】
本考案の光装飾装置は、看板等の広告、美術品、インテリアグッズなど光装飾効果に好適な様々な用途に利用することが可能である。
【図面の簡単な説明】
【００３０】
【図１】本考案の第１実施形態に係る光装飾装置を示す正面図
【図２】同光装飾装置を示す側面図
【図３】同光装飾装置を示す部分断面図
【図４】同光装飾装置を示す上面図
【図５】同光装飾装置の装飾板を示す（Ａ）正面図、（Ｂ）側面図
【図６】本考案の第２実施形態に係る光装飾装置を示す側面図
【図７】本考案の第２実施形態に係る光装飾装置を示す正面図
【符号の説明】
【００３１】
１、１００    ・・・  光装飾装置
１０、１１０  ・・・  基台
１２、１１２  ・・・  ＬＥＤ光源部
１４、１１４  ・・・  装飾板
２０、１２０  ・・・  溝状凹部
【図１】
0003121935.tif 000003
【図２】
0003121935.tif 000004
【図３】
0003121935.tif 000005
【図４】
0003121935.tif 000006
【図５】
0003121935.tif 000007
【図６】
0003121935.tif 000008
【図７】
0003121935.tif 000009